(57)【要約】      （修正有）【課題】  場所を問わずに連続的に電流を生産する電流生産装置を提供する。【解決手段】  圧電体に万力により、圧力を与えつづけ圧電体の表面に常に正負の電荷を発生させ、それをコイルに渡して電流を生産する。またそれを静電モーターを介して発電機を回し電磁誘導により電流生産する。棒磁石のＮとＳの間の電子は左むきにローレンツ力で走るので、それを円構造にした場合（３層）電子は左むきに自動循環すると、その逆に電流は、右むきの自動循環し、そこから導線をへて、ニクロム線を熱せさせ、そのニクロム線の熱で熱電対から電流を生産する。【選択図】  図１
2006094686.tif 000002
【特許請求の範囲】
【請求項１】
一たんが万力と、圧電体とコイルであるところの電流生産装置又は電池（圧電電池）
【請求項２】
一たんが圧電体に常時圧力を加えつづける部分と、圧電体と（たとえば、水圧しずめと圧電体のシステムなど。）および、その電荷を電流にかゝる部分との、電流生産システム
【請求項３】
一たんが万力と、圧電体と、ライデンびんと、静電モーターと発電機であるところの電流生産装置
【請求項４】
一たんが電子が回り通る通路と、それを磁石がＮとＳで直交してはさんだ形の対が、ぐるりと列になっているところの、電流生産装置又は電池
【発明の詳細な説明】
【発明の詳細な説明】
【０００１】（分野）
電気関係
【０００２】（従来）
１．そこらで、２４時間、電流を生産しづつけるもので、又規模しだいで大電流も可能な装置はなかった
（１）圧電体は
２．圧電素子や、コンロの着火や、水晶発振の時計や、ピックアップに使われていた。（コンロの着火は瞬間の火花放電。）
（２）フレミングの法則は、磁力と力と電流の関係を、教科書の知識として展開。（発電機の理解）。
つまり、連続的に電流を生産するための道具の利用はなかった。圧電体もフレミングの法則も。
【０００３】（課題）
請求項１〜４は、共に、２４時間間電流を生産し、又規模しだいで大電流の生産も可能な装置。つまり、請求項１〜４は、主要部として、発電システムの共通であり、志向としては、放置の形でも電流生産のレベルという共通である。
【０００４】（手段）
請求項１〜３は、主として圧電体に外圧を与えつづける為、あるいは２４時間与えつづけようとする考えにおき、水圧又は万力（バイス）を利用するもの。圧電体は圧力の間中、
2006094686.tif 000003
請求項４は、いわゆるフレミングの法則又はローレンツ力の法則の、具体化であり、それを、ぐるりと円構造につなげて、電子を自動循環させること
【０００５】（実施例）
○請求項１の説明  図面１の図１におき
圧電セラミック（１）を、絶縁のプラスチック板（２）をはさんで、万力（けいたい用バイス）でしめつける。すると、その万力の圧力のしめつける間中、圧電セラミックの表面には、
2006094686.tif 000004
その量は、しめつけの力に比例する。（短絡は流れも）
2006094686.tif 000005
導線を介し、コイル（４）に入れる。
するとコイルは動的な電磁石となり、新たな導線（７）の自由電子に作用し、導線（７）に電流が流れる。更にこれはインバーターでつなげてもよい。
従って従来の、圧電効果利用として、コンロの着火などでは、瞬間的に圧力をバネで与えて瞬間的な、電圧の火花放電であったが、この発明は、つねに電流生産ができる。
○請求項３におき、  図面１の図２におき
圧電体セラミックス（１）を、プラスチック板（２）ではさみ、それを万力（けいたい用バイス）（３）で、しめつける。
2006094686.tif 000006
流れつづける
それを、それぞれライデンびん（５）とライデンびん（７）でうけて、静電モーター（スパークモーター）（８）を回す。
その回転を、歯車軸（９）で直角、かつ、つなげて、その歯車軸で電きしの発電機（１０）を回す。
以上のように、圧電体を、万力で圧力を与えつづけての、生産の電荷の力により、電磁誘導電流を生産、これは、万力の間中、２４時間、電磁誘導がほっておくだけでできる。部屋のそこらでもできる。
○請求項４におき、  図面２の図１におき、
ガラスのドーナツ状の、絶縁した管の中に、真空をして、電子鏡で電子を注入したところの、閉じた円管（２）があり、それの中（３）は、電子が入っている。
それを永久磁石の棒磁石（１）と棒磁石（５）で上下より、はさんで、かつぐるりと、その対を並べ回す。
つまり、磁石（１）はＮ極が下、磁石（７）はＳ極が上の、はさんだ対のその磁石列の円状である。（ｘ個並べ）つまり、３つの層の、３つの円である。
プラスチックの台で支える。Ｎと通路とＳの３点は一直線。
そうすると、ローレンツ力により、電子は磁力をうけて、左向きに走り、又管が円で閉じているため、循環もする磁力が永久磁石ならば、その効力がある間中、自動循環をする。その時、電子と反対に電流は右むきに自動循環するつまり管の中を電子が左に、電流は右むきに回り続ける。つまり、磁石を動かさなくとも、電流がつねに発生しつづけている。
その一たんに導線（４）を通し、その外で、一たんをニクロム線（５）にするすると、その電流は外部に一たんでて、又入る途中で、ニクロム線を熱する。
そしてそのニクロム線の熱を熱電対（又は熱電装置）で電流にかえる。
つまり、永久磁石の効力の間中、熱電装置より、電流が生産できる棒磁石の力→電子の循環→電流の発生と循環→ニクロム線の発熱→熱電対の発電である。
【０００６】（効果）
以上のように、場所を問わず、かつつねに電流を、ミニの電池としても、又大規模としてもとれるこの装置は、請求項１〜３では、圧電体を万力でしめつける事を基本に、又請求項４では、フレミングの法則を、ぐるりとつなげる形を基本に可能になった。（又は、ローレンツ力の、循環的延長で）
これは、他の発電方法と比べ、進歩としてたとえば火力や原子力のように資源もいらず、又太陽や風力のような、時間や場所の制約もない。
その意味で、「発電システム」として、火力にも原子力にも、太陽熱や風力より進歩と思う。
○又万力というネジ１つでこのような発電が現出するのは業者にとっても意外性にみちており、又フレミングの法則をぐるりとするというのも、一種のあそび心で意外性がたかく業者は容易に考えにくいものと考える。
○ともかく、志向（課題）そのものが、放置の形でも、（規模を大きくすれば）、そこらで２４時間、大電流を生産できるものという事目体、業者の水準からは、夢のような、非常識にちかいような飛躍であって、予測不可能なものであったと考える。
○圧電体を万力で常して圧力を加え、その電荷をコイルでとって電流してするという圧電電池は、新領域の開拓であるそしてこれは、期限容量とそのコストにおき、他の電池にまさる進歩がある
○又この万力による常時圧力と、その電荷をコイルでとる仕組みのくみあわせは独創であり、この独創により、はじめて圧電電池という領域が可能になった。
１８８０年の圧電効果の発見以来、業者は勿ろん電気関係者の誰も「圧電電池」を作らなかった。
以上をまとめてかんたんにいうと、この発明は発電に燃料の消費がいらない。
火力や原子力と比較してどうであろうか。又この発明は部屋のそこらで放置したまま２４時間の発電（電池）ができる。太陽熱発電と比べてどうであろうか。
従って、ここから従来より、顕著な進歩は歴然と考える。
【図面の簡単な説明】［図１］は
請求項１の概念図である。
［符号の説明］
１は圧電セラミック
２はプラスチック板
３は万力
４はコイル
５と６は導線（各電荷用）
７は導線
［図２］は
請求項３の概念図
［符号の説明］
１は圧電セラミック
２はプラスチック板
３は万力
2006094686.tif 000007
2006094686.tif 000008
８は静電モーター
９は歯車軸
１０は発電機
［図３］は
請求項４の概念図
［符号の説明］
１は棒磁石を円に並べたもの（Ｎが下）
２は絶縁の管（ガラス管）
３は電子の通路
４は導線    ５はニクロム線
６は熱電装置
７は棒磁石を円に並べたもの（Ｓが上）
【図１】
2006094686.tif 000009
【図２】
2006094686.tif 000010
【図３】
2006094686.tif 000011
【手続補正書】
【提出日】平成16年9月29日(2004.9.29)
【手続補正１】
【補正対象書類名】特許請求の範囲
【補正対象項目名】全文
【補正方法】変更
【補正の内容】
【特許請求の範囲】
【請求項１】
一たんが万力と、圧電体と導線とコイルであるところの、電流生産装置又は電池
【請求項２】
一たんが圧電体に、常時外力を与えつづける部分と、圧電体と、電荷を電流にかえる部分であるところの電流生産装置  又は誘電体の「自発分極」をする第１０晶族と、その電荷を電流にかえる部分であるところの、電流生産装置
【請求項３】
一たんが万力と圧電体と導線とライデンびんと静電モーター（とくにスパークモーター）と発電機であるところの、電流生産装置
【請求項４】
一たんが電子が回り通る通路と、それを磁石がＮとＳで直交してはてんだ形の対が、ぐるりと列になっているところの、電流生産装置